(57)【要約】【課題】  炉停止余裕にかかる基準値を満たしつつ、炉心最外周領域に装荷される燃料集合体の濃縮度を高めることにより、沸騰水型原子炉における燃料の高燃焼度化および燃料経済性向上を実現する。【解決手段】  燃料集合体３は、燃料集合体２よりウラン平均濃縮度が高く、燃料集合体１より多い可燃性毒物含有が多い。最外周領域１４には、高濃縮度の燃料集合体１および燃料集合体３が装荷される。特に、アンコントロールセル１５のみに燃料集合体３が装荷され、最外周領域１４のアンコントロールセル１５以外の領域に燃料集合体１が装荷される。【選択図】図１
2011169858.tif 000002
【特許請求の範囲】
【請求項１】
同一のウラン平均濃縮度を有する複数の第１燃料集合体と、前記第１燃料集合体より低い同一のウラン平均濃縮度を有する複数の第２燃料集合体と、を含む多種類の燃料集合体を組合せて構成され、炉心最外周領域の一部には第１燃料集合体が装荷される沸騰水型原子炉の初装荷炉心において、
前記多種類の燃料集合体には、前記第２燃料集合体より高い同一のウラン平均濃縮度を有し、前記第１燃料集合体より多い可燃性毒物を含有する第３燃料集合体を含み、
前記第３燃料集合体は、炉心最外周領域であって、制御棒と隣接しない領域のみに装荷される
ことを特徴とする沸騰水型原子炉の初装荷炉心。
【請求項２】
請求項１記載の沸騰水型原子炉の初装荷炉心において、
前記第１燃料集合体のウラン平均濃縮度と前記第３燃料集合体のウラン平均濃縮度とは同じである
ことを特徴とする沸騰水型原子炉の初装荷炉心。
【発明の詳細な説明】
【技術分野】
【０００１】
本発明は沸騰水型原子炉の初装荷炉心に係り、特に、多種類の燃料集合体を組合せて構成される沸騰水型原子炉の初装荷炉心に関する。
【背景技術】
【０００２】
原子力発電において発電コストの低減は重要な課題であり、近年この対策として燃料サイクルコストの低減、高出力化、及び運転期間の長期化等が検討されてきた。燃料サイクルコストの低減に対しては、燃料集合体の平均取出燃焼度を高めること（高燃焼度化）が有効である。
【０００３】
燃料集合体の高燃焼度化を達成するためには、そのウラン濃縮度を高める必要がある。現在、国内及び海外のウラン転換加工施設において取り扱えるウラン最高濃縮度は5wt%である。燃料集合体のウラン濃縮度を5wt%に可能な限り近づけることで高燃焼度化を達成し、発電コストをより低減させることができる。
【０００４】
一方、沸騰水型原子炉において、初装荷炉心は原子炉の第1サイクルであり、全て燃料が新燃料のみで構成される。それらの燃料の一部は第2サイクル又は第3サイクルに取り出されるため、炉心内滞在時間が短く、一般に初装荷炉心において燃料の平均取出燃焼度は平衡炉心における燃料の平均取出燃焼度に比べて小さくなる。
【０００５】
初装荷炉心における燃料の平均取出燃焼度向上の案として、取出燃焼度に合せて複数種類の濃縮度の燃料集合体を予め用意し、低い濃縮度の燃料を早く取り出すことで取り出し燃料に無駄に核分裂性物質が残らないように運転する案が考案された。このような初装荷炉心は初装荷濃縮度多種類炉心と称される。
【０００６】
特許文献１に開示されている初装荷濃縮度多種類炉心は、複数種類の燃料の中で最高濃縮度の燃料集合体を炉心最外周領域に装荷し、最低濃縮度の燃料集合体を中央領域に装荷する。この炉心では、第2サイクルにおいて低濃縮燃料を取り出し、炉心最外周領域に装荷した高濃縮燃料を中央領域に装荷する。これにより、早く取り出される低濃縮燃料の燃焼を促進させる一方、高濃縮燃料の炉心内滞在時間を長くすることで燃料経済性を向上させることができる。
【先行技術文献】
【特許文献】
【０００７】
【特許文献１】特公平０５‐２７０７５号公報
【発明の概要】
【発明が解決しようとする課題】
【０００８】
ところで、炉心設計においては、様々な炉心運転上の制限値等を満足する必要がある。例えば、炉停止余裕は冷温状態で最も反応度制御効果の高い制御棒が引き抜かれた状態における臨界に対する余裕であり、設計上の基準値を満たさなければならない。
【０００９】
しかし、特許文献１に開示されている初装荷濃縮度多種類炉心のように、最高濃縮度の燃料集合体を炉心最外周領域に装荷することは、炉停止余裕を低下させることになり、基準値を満たさなくなる可能性もある。
【００１０】
このような理由から高燃焼度化が制限されていた。
【００１１】
本発明の目的は、炉停止余裕にかかる基準値を満たしつつ、炉心最外周領域に装荷される燃料集合体の濃縮度を高めることにより、沸騰水型原子炉における燃料の高燃焼度化および燃料経済性向上を実現できる沸騰水型原子炉の初装荷炉心を提供することである。
【課題を解決するための手段】
【００１２】
（１）上述した目的を達成するための本発明の特徴は、同一のウラン平均濃縮度を有する複数の第１燃料集合体と、前記第１燃料集合体より低い同一のウラン平均濃縮度を有する複数の第２燃料集合体と、を含む多種類の燃料集合体を組合せて構成され、炉心最外周領域の一部には第１燃料集合体が装荷される沸騰水型原子炉の初装荷炉心において、前記多種類の燃料集合体には、前記第２燃料集合体より高い同一のウラン平均濃縮度を有し、前記第１燃料集合体より多い可燃性毒物を含有する第３燃料集合体を含み、前記第３燃料集合体は、炉心最外周領域であって、制御棒と隣接しない領域のみに装荷されることにある。
【００１３】
炉心最外周領域には、第２燃料集合体より濃縮度の高い第１燃料集合体および第３燃料集合体が装荷されているため、炉心最外周領域に濃縮度の低い燃料集合体を装荷した場合と比較して、炉心全体の出力が増大し、燃料集合体は効率的に燃焼される。
【００１４】
一方、炉心最外周領域であって、制御棒と隣接しない領域のみに前記第１燃料集合体より多い可燃性毒物を含有する第３燃料集合体が装荷されることにより、当該領域の反応度を抑制し、炉停止余裕を向上させることが可能となる。炉停止余裕が向上すると、最外周領域に装荷される燃料集合体において、さらなる濃縮度増加が可能となる。
【００１５】
これにより、沸騰水型原子炉における燃料の高燃焼度化および燃料経済性向上を実現できる。
【００１６】
（２）上記（１）において、好ましくは、前記第１燃料集合体のウラン平均濃縮度と前記第３燃料集合体のウラン平均濃縮度とは同じである。
【００１７】
燃焼度が進むと、第１燃料集合体と第３燃料集合体とを同等に扱うことができる。これにより炉心サイクルの運用が容易になる。
【発明の効果】
【００１８】
本発明によれば、炉停止余裕にかかる基準値を満たしつつ、炉心最外周領域に装荷される燃料集合体の濃縮度を高めることにより、沸騰水型原子炉における燃料の高燃焼度化および燃料経済性向上を実現できる。
【図面の簡単な説明】
【００１９】
【図１】第１実施形態に係る初装荷炉心であり、炉心の１／４、第４象限を示す燃料集合体配置図である。
【図２】炉心の領域を説明する図である。
【図３】燃料集合体３と比較して可燃性毒物の混入量が少ない燃料集合体１の断面図である。
【図４】燃料集合体１と比較して可燃性毒物の混入量が多い燃料集合体３の断面図である。
【図５】燃料集合体１及び燃料集合体3における冷温時無限増倍率の燃焼度推移を説明する図である。
【図６】外周領域１２に含まれる第１〜第１２制御棒の制御棒価値を示す図である。
【図７】制御棒番号を示す図である。
【図８】参考例に係る初装荷炉心の燃料集合体配置図である。
【図９】参考例における第１〜第１２制御棒の制御棒価値を示す図である。
【図１０】第２実施形態に係る初装荷炉心であり、炉心の１／４、第４象限を示す燃料集合体配置図である。
【図１１】燃料集合体２４と比較して可燃性毒物の混入量が少ない燃料集合体２１の断面図である。
【図１２】燃料集合体２１と比較して可燃性毒物の混入量が多い燃料集合体２４の断面図である。
【図１３】従来技術に係る初装荷炉心の燃料集合体配置図である。
【発明を実施するための形態】
【００２０】
〈第１実施形態〉
本発明の第１実施形態を、図面を用いて詳細に説明する。
【００２１】
〜構成〜
図1は第１実施形態に係る初装荷炉心１０であり、炉心１０の１／４、第４象限を示す燃料集合体配置図である。初装荷炉心１０は、濃縮度及び可燃性毒物の混入量の異なる３種類の燃料集合体１〜３を組合せて構成される。燃料集合体1は濃縮度３．８wt%であり、燃料集合体３と比較して可燃性毒物の混入量が少ない。燃料集合体２は例えば濃縮度２．２%である。燃料集合体３は、燃料集合体1と同じく濃縮度３．８wt%であるが、燃料集合体１と比較して可燃性毒物の混入量が多い。
【００２２】
初装荷炉心１０において、燃料集合体１は６７２体、燃料集合体２は１４８体、燃料集合体３は５２体装荷される。燃料集合体１は、最外周領域１４のうちアンコントロールセル１５を除く領域、外周領域１２および、中央領域１３のうちコントロールセル１６を除く領域に装荷される。燃料集合体２は、中央領域１３のコントロールセル１６に装荷される。燃料集合体３は、最外周領域１４のアンコントロールセル１５に装荷される。
【００２３】
図２は、炉心の領域を説明する図である。炉心には多数の制御棒５が挿入されている。1体の断面十字型の制御棒５の周囲に４体の燃料集合体を装荷して1つの制御棒セルが構成される。さらに制御棒セルが複数個格子状に配列されて、炉心が構成される。
【００２４】
原子炉外には減速材領域１１が形成され、原子炉内には外周領域１２と中央領域１３が形成される。外周領域１２は、最外周に配置される制御棒セルから構成される領域である。中央領域１３は、外周領域１２内に配置される制御棒セルから構成される領域である。
【００２５】
最外周領域１４は、減速材領域１１と面隣接し炉心の最外周に配置される燃料集合体から構成される領域であり、一部は外周領域１２と重複する。最外周領域１４には、制御棒５が隣接せず制御棒５による制御ができない燃料集合体があり、この燃料集合体から構成される領域をアンコントロールセル１５とする。
【００２６】
なお、原子炉運転中には制御棒５が引き抜かれるが、一部の制御棒５は反応度調整の為、挿入された状態にある。この制御棒を含む制御棒セルをコントロールセル１６とする。
【００２７】
図３は燃料集合体１の断面図であり、図４は燃料集合体３の断面図である。燃料集合体１および燃料集合体３は、９行９列の正方格子状に配列され内部に燃料ペレット（図示せず）を充填した燃料棒６，７と、この燃料棒６，７が配列可能な領域に配置された２本の水ロッド８と、燃料棒６，７及び水ロッド８の相互の径方向間隔を保持する燃料スペーサ（図示せず）と、以上の構造の外周部を覆うチャンネルボックス９とを備えている。
【００２８】
燃料集合体１および燃料集合体３が等しい平均濃縮度を持つように、燃料棒６，７は構成されている。燃料棒７は可燃性毒物が混入された燃料棒である。燃料集合体１と燃料集合体３とを比較すると、燃料棒７の本数が異なり、したがってその混入量も異なる。すなわち、燃料集合体３は、燃料集合体１と比較して可燃性毒物の混入量が多くなる。
【００２９】
図５は燃料集合体１及び燃料集合体3における冷温時無限増倍率の燃焼度推移を説明する図である。燃料集合体１の冷温時無限増倍率を実線で、燃料集合体３の冷温時無限増倍率を破線で示す。燃料集合体３は、燃料集合体１よりも可燃性毒物の混入量が多いことから、冷温時無限増倍率は初期からそのピークにかけて低くなっている。
【００３０】
以上において、燃料集合体１は、第1燃料集合体を構成し、燃料集合体２は、燃料集合体１よりウラン平均濃縮度の低い第２燃料集合体を構成し、燃料集合体３は、燃料集合体２よりウラン平均濃縮度の高く、燃料集合体１より多い可燃性毒物含有の多い第３燃料集合体を構成し、アンコントロールセル１５は、炉心最外周１４であって、制御棒５と隣接しない領域を構成する。
【００３１】
〜動作〜
本実施形態の基本動作について説明する。基本動作は従来技術と同様である。沸騰水型原子炉は、各サイクル（約１年）毎に一部の燃料集合体が交換される。まず、図１に示す初装荷炉心１０のように、燃料集合体１〜３を装荷する。そしてこの炉心パターンで、第１サイクルの運転をおこなう。最外周領域１４には、濃縮度の高い燃料集合体１および燃料集合体３が装荷されているため、最外周領域１４に濃縮度の低い燃料集合体を装荷した場合と比較して、炉心全体の出力が増大し、燃料集合体は効率的に燃焼される。なお、最外周領域１４に装荷された燃料集合体１，燃料集合体３は、中性子が炉心外に漏れる為、中央領域１３に装荷された燃料集合体１と比較して燃焼度が低い。
【００３２】
第１サイクルの運転が終了すると第１回目の交換をおこなう。コントロールセル１６に装荷された濃縮度の低い燃料集合体２を炉心から取出し、替わりに中央領域１３に装荷され燃焼度が高い（燃焼が進んだ）燃料集合体１をコントロールセル１６に装荷する。また、最外周領域１４に装荷され燃焼度が低い燃料集合体１，燃料集合体３を外周領域１２と中央領域１３に分散させて装荷し、替わりに中央領域１３に装荷され燃焼度が高い燃料集合体１を最外周領域１４に装荷する。
【００３３】
更に、コントロールセル１６から取り出された本数相当の新しい燃料集合体４（図示せず）を外周領域１２と中央領域１３に分散させて装荷する。このような炉心パターンで、第２サイクルの運転をおこなう。
【００３４】
そして、第２サイクルの運転が終了すると第２回目の交換をおこない、これらを繰り返すことにより平衡炉心に移行する。
【００３５】
〜効果〜
従来技術と比較することにより、本実施形態の効果について説明する。図１３は従来技術の初装荷炉心１００の燃料集合体配置図である。従来技術の初装荷炉心１００において、最外周領域１４には、濃縮度の高い燃料集合体１が装荷されているため、最外周領域１４に濃縮度の低い燃料集合体を装荷した場合と比較して、炉心全体の出力が増大し、燃料集合体は効率的に燃焼される。
【００３６】
本実施形態の初装荷炉心１０において、最外周領域１４には、濃縮度の高い燃料集合体１および燃料集合体３が装荷されているため、最外周領域１４に濃縮度の低い燃料集合体を装荷した場合と比較して、炉心全体の出力が増大し、燃料集合体は効率的に燃焼される。つまり、従来技術と同様な構成（最外周領域１４に濃縮度の高い燃料集合体）により、同様な効果（燃料経済性向上）が得られる。
【００３７】
本実施形態特有の効果について説明する。図６は、外周領域１２に含まれる第１〜第１２制御棒の制御棒価値を示す図である。図７は制御棒番号を示す図である。制御棒価値とは、中性子を吸収していた制御棒を原子炉から引き抜いた時、炉心の実効的な無限増倍率を増加させる大きさを表す指標である。臨界を１として、臨界に対する影響を示す。実線は本実施形態における解析結果を示す。破線は従来技術における解析結果を示す。
【００３８】
まず、従来技術における解析結果（破線）から説明する。
【００３９】
第１制御棒を含む制御棒セルは減速材領域１１に隣接しており、第１制御棒を原子炉から引き抜いても中性子が炉心外に漏れる為、第１制御棒の制御棒価値は低い。第２制御棒の制御棒価値も同様である。
【００４０】
第３制御棒を含む制御棒セルはアンコントロールセル１５に隣接している。アンコントロールセル１５は制御棒による制御ができず、アンコントロールセル１５に装荷される燃料集合体の反応度が高い。第３制御棒が引き抜かれるとアンコントロールセル１５に装荷される燃料集合体の影響を受けるため、第３制御棒の制御棒価値は他と比較して高い。第４制御棒を含む制御棒セルはアンコントロールセル１５に隣接して部分と減速材領域１１に隣接している部分が有り、第４制御棒の制御棒価値は、第１制御棒の制御棒価値より高く、第３制御棒の制御棒価値より低い。
【００４１】
第５制御棒は第３制御棒と同様な位置に有り、第５制御棒の制御棒価値は、第３制御棒の制御棒価値と同等である。第６制御棒は第４制御棒と同様な位置に有り、第６制御棒の制御棒価値は、第４制御棒の制御棒価値と同等である。第７〜第１２制御棒については、それぞれ第６〜第１制御棒と同じであるため、説明を省略する。
【００４２】
従来技術の初装荷炉心１００において、最外周領域１４には、濃縮度の高い燃料集合体１が装荷されているため、特に、アンコントロールセル１５に隣接している制御棒セルに含まれる第３制御棒，第５制御棒，第８制御棒，第１０制御棒の制御棒価値は他と比べて高く、炉停止余裕を低下させる方向に働き、基準値を満たさなくなる可能性もあった。このような理由から高燃焼度化が制限されていた。
【００４３】
本実施形態の初装荷炉心１０において、最外周領域１４には、濃縮度の高い燃料集合体１および燃料集合体３が装荷され、特に、アンコントロールセル１５に燃料集合体１と比較して可燃性毒物の混入量が多い燃料集合体３が装荷される。これにより、アンコントロールセル１５に装荷される燃料集合体の反応度は抑制される。
【００４４】
図６において、本実施形態における解析結果（実線）を従来技術と比較しながら説明する。第１〜第１２制御棒の全てにおいて、本実施形態における制御棒価値は、従来技術における制御棒価値に比べて低下する傾向にある。特に、本実施形態における第３制御棒，第５制御棒，第８制御棒，第１０制御棒の制御棒価値は、従来技術における制御棒価値に比べて大きく低下しており、炉停止余裕を向上させることが可能となる。
【００４５】
炉停止余裕が向上すると、燃料集合体１および燃料集合体３において、さらなる濃縮度増加が可能となり、取出平均燃焼度の向上（高燃焼度化）につながる。これにより燃料経済性向上を実現できる。
【００４６】
〜参考例〜
参考例と比較することにより、本実施形態の効果について更に説明する。図８は参考例に係る初装荷炉心２００の燃料集合体配置図である。参考例に係る初装荷炉心２００において、最外周領域１４には、燃料集合体2と比較して濃縮度の高く、燃料集合体１と比較して可燃性毒物の混入量が多い燃料集合体３が装荷されている。
【００４７】
図９は、参考例における第１〜第１２制御棒の制御棒価値を示す図である。比較の為、本実施形態における第１〜第１２制御棒の制御棒価値を追記している。実線は本実施形態における解析結果を示す。点線は参考例における解析結果を示す。
【００４８】
参考例の初装荷炉心２００において、アンコントロールセル１５に燃料集合体３が装荷されることにより、参考例における第３制御棒，第５制御棒，第８制御棒，第１０制御棒の制御棒価値は、本実施形態における制御棒価値と同等であり、本実施形態と同様な効果が得られる。
【００４９】
一方、最外周領域１４のアンコントロールセル１５以外の領域にも燃料集合体３が装荷されることにより、参考例における第１制御棒，第２制御棒，第４制御棒，第６制御棒，第７制御棒，第９制御棒，第１１制御棒，第１２制御棒の制御棒価値は、本実施形態における制御棒価値に比べて低下しており、炉心最外周部１４の出力が低下することになる。その結果、中央領域１３の出力を向上させる必要が有り、今度は中央領域１３の熱的制限値に対する余裕を低下させるため、好ましくない。
【００５０】
逆に言えば、本実施形態では、アンコントロールセル１５のみに燃料集合体３が装荷され、最外周領域１４のアンコントロールセル１５以外の領域に燃料集合体１が装荷されることにより、炉停止余裕にかかる基準値を満たしつつ、炉心最外周部１４の出力が増大し、炉心全体の出力が増大し、高燃焼度化を実現できる。
【００５１】
〈第２実施形態〉
図1０は第２実施形態に係る初装荷炉心２０であり、炉心２０の１／４、第４象限を示す燃料集合体配置図である。初装荷炉心２０は、濃縮度及び可燃性毒物の混入量の異なる４種類の燃料集合体２１〜２４を組合せて構成される。燃料集合体２1は濃縮度４．１wt%であり、燃料集合体４と比較して可燃性毒物の混入量が少ない。燃料集合体２２は例えば濃縮度３．７wt %である。燃料集合体２３は例えば濃縮度２．３wt %である。燃料集合体２４は、燃料集合体２1と同じく濃縮度４．１wt%であるが、燃料集合体１と比較して可燃性毒物の混入量が多い。
【００５２】
初装荷炉心２０において、燃料集合体２１は２５６体、燃料集合体２２は４１６体、燃料集合体２３は１４８体、燃料集合体２４は５２体装荷される。燃料集合体２１は、外周領域１２に装荷される。燃料集合体２２は、中央領域１３のうちコントロールセル１６を除く領域に装荷される。燃料集合体２３は、中央領域１３のコントロールセル１６に装荷される。燃料集合体２４は、最外周領域１４のアンコントロールセル１５に装荷される。
【００５３】
図１１は燃料集合体２１の断面図であり、図１３は燃料集合体２４の断面図であり、１０行１０列の正方格子状に配列されている。燃料集合体２１および燃料集合体２４が等しい平均濃縮度を持つように、燃料棒６，７は構成されている。燃料棒７は可燃性毒物が混入された燃料棒である。燃料集合体２１と燃料集合体２４とを比較すると、燃料棒７の本数が異なり、したがってその混入量も異なる。すなわち、燃料集合体２４は、燃料集合体２１と比較して可燃性毒物の混入量が多くなる。
【００５４】
本実施形態の初装荷炉心２０において、最外周領域１４には、濃縮度の高い燃料集合体２１および燃料集合体２４が装荷されているため、最外周領域１４に濃縮度の低い燃料集合体を装荷した場合と比較して、炉心全体の出力が増大し、燃料集合体は効率的に燃焼される。
【００５５】
一方、アンコントロールセル１５のみに燃料集合体２１と比較して可燃性毒物の混入量が多い燃料集合体２４が装荷されることにより、炉停止余裕を向上させることが可能となる。
【００５６】
これにより、炉停止余裕にかかる基準値を満たしつつ、炉心最外周領域１４に装荷される燃料集合体の濃縮度を高めることにより、沸騰水型原子炉における燃料の高燃焼度化および燃料経済性向上を実現できる。
【００５７】
〈その他〉
第1実施形態では、燃料集合体１の濃縮度と燃料集合体３の濃縮度は同じであり、第２実施形態では、燃料集合体２１の濃縮度と燃料集合体２４の濃縮度は同じであったが、必ずしも同じである必要はない。ただし、これらの燃料集合体の濃縮度は、他の燃料集合体の濃縮度と比べて高いことが好ましい。
【００５８】
燃料集合体の詳細を図４，５，１１，１２に示したが、これに限定されない。正方格子配列が８行８列であってもよい。２本の丸型の水ロッド８の変わりに、１本の角型の水ロッドを用いてもよい。
【符号の説明】
【００５９】
１  燃料集合体（高濃縮度・可燃性毒物少）
２  燃料集合体（低濃縮度）
３  燃料集合体（高濃縮度・可燃性毒物多）
５  制御棒
６  燃料棒
７  燃料棒（可燃性毒物含）
８  水ロッド
９  チャンネルボックス
１０  初装荷炉心（第１実施形態）
１１  減速材領域
１２  外周領域
１３  中央領域
１４  最外周領域
１５  アンコントロールセル
１６  コントロールセル
２０  初装荷炉心（第２実施形態）
２１  燃料集合体（高濃縮度・可燃性毒物少）
２２  燃料集合体（中濃縮度）  
２３  燃料集合体（低濃縮度）
２４  燃料集合体（高濃縮度・可燃性毒物多）
１００  初装荷炉心（従来技術）
２００  初装荷炉心（参考例）
【図１】
2011169858.tif 000003
【図２】
2011169858.tif 000004
【図３】
2011169858.tif 000005
【図４】
2011169858.tif 000006
【図５】
2011169858.tif 000007
【図６】
2011169858.tif 000008
【図７】
2011169858.tif 000009
【図８】
2011169858.tif 000010
【図９】
2011169858.tif 000011
【図１０】
2011169858.tif 000012
【図１１】
2011169858.tif 000013
【図１２】
2011169858.tif 000014
【図１３】
2011169858.tif 000015